(57)【特許請求の範囲】
【請求項１】
図柄を表示可能な図柄表示装置と、当該図柄表示装置に対して図柄制御のための所定信号を伝送する図柄制御基板とを備え、
前記図柄制御基板には前記図柄表示装置における表示機器の種類に関係なく共通使用可能で交換することなく継続使用可能な共通制御機器として、前記図柄表示装置に対する前記図柄制御のための各種情報を演算処理する演算処理機器と、前記演算処理機器が前記各種情報を演算処理する際に用いる制御プログラムを記憶し、前記制御プログラムを前記図柄表示装置における表示機器の種類に適合させて書き換え記憶することで機器自体は前記図柄制御基板において再使用する記憶機器と、前記演算処理機器が演算処理した前記各種情報を所定信号として前記図柄表示装置に対しシリアル伝送する信号出力機器と、を配設する一方で、
前記図柄表示装置には前記図柄制御基板の信号出力機器と信号線を介して接続されることにより前記所定信号を入力する信号入力機器と、前記信号入力機器に接続されるとともに前記図柄表示装置における表示機器に対して専用使用される一種類からなる複数の専用制御機器、又は前記信号入力機器に接続されるとともに前記表示機器に対して専用使用される単数の専用制御機器を配設し、
前記図柄制御基板の前記信号出力機器と前記図柄表示装置の前記信号入力機器は、前記専用制御機器が制御対象に対して図柄制御を行うための図柄制御信号を伝送する図柄制御信号線と、前記専用制御機器に対して前記図柄制御信号の読込みを指示する読込信号を伝送する読込信号線と、前記図柄制御信号から得ることができる図柄の表示態様を確定する確定信号を伝送する確定信号線とからなる３本の信号線で接続されており、
前記図柄制御基板に対して前記複数の専用制御機器を配設した前記図柄表示装置を接続する場合、当該図柄表示装置の各専用制御機器は前記表示機器に対し各々による制御対象が異なるように、前記専用制御機器間での信号の入出力を不能な状態で前記信号入力機器に対して各別に接続、若しくは、前記専用制御機器間での信号の入出力が可能な状態で前記信号入力機器に対して直列に接続され、前記３本の信号線によってシリアル伝送された前記図柄制御信号、前記読込信号及び前記確定信号を、前記各専用制御機器が前記信号入力機器を介して入力することによって各々の制御対象を制御し、
前記図柄制御基板に対して前記単数の専用制御機器を配設した前記図柄表示装置を接続する場合、当該図柄表示装置の専用制御機器は前記表示機器に対して複数の制御対象を制御するように接続され、前記３本の信号線によってシリアル伝送された前記図柄制御信号、前記読込信号及び前記確定信号を、前記単数の専用制御機器が前記信号入力機器を介して入力することによって各制御対象を制御し、
前記図柄制御のための前記図柄制御信号、前記読込信号及び前記確定信号を、前記図柄制御基板の信号出力機器と前記図柄表示装置の信号入力機器とを接続する前記３本の信号線を介して前記図柄制御基板から前記図柄表示装置へ伝送することで、前記図柄制御基板に配設した前記共通制御機器自体を交換することなく継続使用し、前記複数の専用制御機器を配設した図柄表示装置と前記単数の専用制御機器を配設した図柄表示装置とを交換可能に構成した遊技機。
【請求項２】
前記複数の専用制御機器は、各専用制御機器同士の制御対象が異なっていると共に、各専用制御機器のうち、少なくとも単数の専用制御機器においては複数の制御対象が制御されるようになっている請求項１に記載のパチンコ遊技機。
【請求項３】
前記図柄表示装置として、配列した複数の発光体を点灯及び非点灯させることにより図柄を表示する表示機器を有する発光式図柄表示装置同士、及び外周面に図柄を表記した回転体を回転及び停止させることにより図柄を表示する表示機器を有する機械式図柄表示装置同士、並びに前記発光式図柄表示装置と前記機械式図柄表示装置を交換可能に構成した請求項１又は請求項２に記載のパチンコ遊技機。
【発明の詳細な説明】
【０００１】
【発明の属する技術分野】
本発明は、図柄を表示可能な図柄表示装置と、当該図柄表示装置に対して図柄制御のための所定信号を伝送する図柄制御基板とを備えたパチンコ遊技機に関するものである。
【０００２】
【従来の技術】
従来からパチンコ遊技機には、複数種類の図柄を複数列（例えば、３列）に表示可能な図柄表示手段（以下、「図柄表示装置」と言う。）が備えられている。その具体的なものとしては、例えば、複数種類の図柄を外周面に沿って等間隔で順番に表示した図柄表示部を同一軸線上に３列配設した図柄表示装置（ドラム式の図柄表示装置と言われる。）が知られている。そして、このような図柄表示装置では、前記図柄表示部を回転制御することにより所定の図柄が表示されるようになっている。
【０００３】
以下に、前述したドラム式の図柄表示装置に対して図柄制御を行うための具体的な構成を図８に基づき説明する。
図８に示すように、パチンコ遊技機には、遊技機における遊技状態を制御するための主制御基板８０が備えられている。また、前記主制御基板８０には、当該基板８０から伝送された各種制御信号に基づき前記図柄表示装置８１に対して図柄制御を行うための図柄制御基板８２が接続されている。
【０００４】
そして、前記主制御基板８０には、遊技機を統括して制御するＣＰＵ（図示しない）や制御に必要な全ての制御情報（例えば、大当りや表示する図柄を決定するための乱数、各図柄の変動パターンなど）を記憶保持したＲＯＭ（図示しない）などが備えられている。また、前記図柄表示装置８１には、図柄表示器（表示機器）８３が備えられており、当該図柄表示器８３は、複数（図８では３つ）の第１〜第３の図柄表示部８４〜８６を備えている。さらに、前記各図柄表示部８４〜８６には、当該各図柄表示部８４〜８６を各列別に回転駆動させるための第１〜第３の駆動部（モータ）Ｍ１〜Ｍ３が接続されている。
【０００５】
そして、前記図柄制御基板８２には、前記主制御基板８０から受けた各種制御信号を前記図柄制御のための各種情報を演算処理するＣＰＵ８７が備えられている。また、前記ＣＰＵ８７と前記主制御基板８０との間には入力ポート８８が配設されており、前記ＣＰＵ８７は前記各種制御信号を前記入力ポート８８を介して入力するようになっている。さらに、前記ＣＰＵ８７には、前記演算処理を行うための各種制御プログラムなどを記憶保持したＲＯＭ８９と、演算処理した各種情報などを記憶保持するためのＲＡＭ９０が接続されている。また、前記ＣＰＵ８７には、演算処理された各種情報に基づいて前記図柄表示器８３（各図柄表示部８４〜８６）を制御するための第１の制御部（セグメントドライバー）９１及び第２の制御部（セグメントドライバー）９２が８本、若しくは、４本の伝送線を介して接続されている。
【０００６】
そして、前記第１の制御部９１は、前記第１，第２の図柄表示部８４，８５を各々回転駆動させるための第１，第２の駆動部Ｍ１，Ｍ２を制御するようになっている。また、前記第２の制御部９２は、第３の図柄表示部８６を回転駆動させるための第３の駆動部Ｍ３を制御するようになっている。即ち、ドラム式の図柄表示装置８１では、前記第１，第２の制御部９１，９２により前記各駆動部Ｍ１〜Ｍ３が制御されると共に、当該制御によって前記各図柄表示部８４〜８６は回転及び停止して所定の図柄を表示するようになっている。
【０００７】
そして、前記第１，第２の制御部９１，９２は、第１〜第３の駆動部Ｍ１〜Ｍ３に対して電流を供給する各４つの位置（０度（＝３６０度）、９０度、１８０度、２７０度）を特定するための所定信号を伝送して制御している。そのため、前記第１の制御部９１は、コネクタ９３を介して各々４本の伝送線（ＭＴ−１〜ＭＴ１−４，ＭＴ２−１〜ＭＴ２−４）によって前記各駆動部Ｍ１，Ｍ２に接続されている。また、前記第２の制御部９２は、コネクタ９３を介して４本の伝送線（ＭＴ３−１〜ＭＴ３−４）によって前記第３の駆動部Ｍ３に接続されている。
【０００８】
従って、図柄制御基板８２は、主制御基板８０から受けた各種制御信号を図柄制御のための各種情報を演算処理し、該情報を所定信号として前記第１，第２の制御部９１，９２に対し伝送する。そして、前記第１の制御部９１は、前記所定信号を構成する各種情報に基づいて前記第１，第２の駆動部Ｍ１，Ｍ２を制御し、前記第１，第２の図柄表示部８４，８５では所定の図柄が表示されるようになっている。また、前記第２の制御部９２は、前記所定信号を構成する各種情報に基づいて前記第３の駆動部Ｍ３を制御し、前記第３の図柄表示部８６では所定の図柄が表示されるようになっている。
【０００９】
このとき、前記第１，第２の制御部９１，９２は、前記第１〜第３の駆動部Ｍ１〜Ｍ３に対して前記所定信号を各４本の伝送線を使用して伝送している。そのため、前記図柄制御基板８２は、図柄表示器８３を高速処理することが可能となり、高度な図柄制御を実現することができる。
【００１０】
【発明が解決しようとする課題】
しかしながら、従来のパチンコ遊技機では、前記図柄制御基板８２側に前記図柄表示装置８１を制御するためのＣＰＵ８７、ＲＯＭ８９、ＲＡＭ９０及び第１，第２の制御部９１，９２などが配設されている。その一方で、前記図柄表示装置８１側には、前記所定信号を構成する各種情報によって制御される図柄表示器８３を配設する形態となっている。また、従来のパチンコ遊技機では、前記図柄制御基板８２側の第１，第２の制御部９１，９２と図柄表示装置８１側の図柄表示器８３との間において、前記所定信号を伝送する形態となっている。
【００１１】
そのため、図柄表示器８３を第１〜第３の図柄表示部８４〜８６及び第１〜第３の駆動部Ｍ１〜Ｍ３で構成すると、前記第１の制御部９１では８本の伝送線が、第２の制御部９２では４本の伝送線が必要となる。即ち、図柄制御基板８２と図柄表示装置８１は１２本の伝送線を介して接続されることになる。従って、パチンコ遊技機の組み付け時には膨大な本数の伝送線を扱うことになるため、組み付け性の低下やコスト高の要因となっていた。
【００１２】
この発明は、このような従来の技術に存在する問題点に着目してなされたものであり、その目的は、図柄制御基板と図柄表示装置とを接続するための伝送線の本数を削減することにより組み付け性の向上やコスト削減に貢献することができるパチンコ遊技機を提供することにある。
【００１３】
【課題を解決するための手段】
上記問題点を解決するために、請求項１に記載の発明は、図柄を表示可能な図柄表示装置と、当該図柄表示装置に対して図柄制御のための所定信号を伝送する図柄制御基板とを備え、前記図柄制御基板には前記図柄表示装置における表示機器の種類に関係なく共通使用可能で交換することなく継続使用可能な共通制御機器として、前記図柄表示装置に対する前記図柄制御のための各種情報を演算処理する演算処理機器と、前記演算処理機器が前記各種情報を演算処理する際に用いる制御プログラムを記憶し、前記制御プログラムを前記図柄表示装置における表示機器の種類に適合させて書き換え記憶することで機器自体は前記図柄制御基板において再使用する記憶機器と、前記演算処理機器が演算処理した前記各種情報を所定信号として前記図柄表示装置に対しシリアル伝送する信号出力機器と、を配設する一方で、前記図柄表示装置には前記図柄制御基板の信号出力機器と信号線を介して接続されることにより前記所定信号を入力する信号入力機器と、前記信号入力機器に接続されるとともに前記図柄表示装置における表示機器に対して専用使用される一種類からなる複数の専用制御機器、又は前記信号入力機器に接続されるとともに前記表示機器に対して専用使用される単数の専用制御機器を配設し、前記図柄制御基板の前記信号出力機器と前記図柄表示装置の前記信号入力機器は、前記専用制御機器が制御対象に対して図柄制御を行うための図柄制御信号を伝送する図柄制御信号線と、前記専用制御機器に対して前記図柄制御信号の読込みを指示する読込信号を伝送する読込信号線と、前記図柄制御信号から得ることができる図柄の表示態様を確定する確定信号を伝送する確定信号線とからなる３本の信号線で接続されており、前記図柄制御基板に対して前記複数の専用制御機器を配設した前記図柄表示装置を接続する場合、当該図柄表示装置の各専用制御機器は前記表示機器に対し各々による制御対象が異なるように、前記専用制御機器間での信号の入出力を不能な状態で前記信号入力機器に対して各別に接続、若しくは、前記専用制御機器間での信号の入出力が可能な状態で前記信号入力機器に対して直列に接続され、前記３本の信号線によってシリアル伝送された前記図柄制御信号、前記読込信号及び前記確定信号を、前記各専用制御機器が前記信号入力機器を介して入力することによって各々の制御対象を制御し、前記図柄制御基板に対して前記単数の専用制御機器を配設した前記図柄表示装置を接続する場合、当該図柄表示装置の専用制御機器は前記表示機器に対して複数の制御対象を制御するように接続され、前記３本の信号線によってシリアル伝送された前記図柄制御信号、前記読込信号及び前記確定信号を、前記単数の専用制御機器が前記信号入力機器を介して入力することによって各制御対象を制御し、前記図柄制御のための前記図柄制御信号、前記読込信号及び前記確定信号を、前記図柄制御基板の信号出力機器と前記図柄表示装置の信号入力機器とを接続する前記３本の信号線を介して前記図柄制御基板から前記図柄表示装置へ伝送することで、前記図柄制御基板に配設した前記共通制御機器自体を交換することなく継続使用し、前記複数の専用制御機器を配設した図柄表示装置と前記単数の専用制御機器を配設した図柄表示装置とを交換可能に構成したことを要旨とする。
【００１４】
請求項２に記載の発明は、請求項１に記載のパチンコ遊技機において、前記複数の専用制御機器は、各専用制御機器同士の制御対象が異なっていると共に、各専用制御機器のうち、少なくとも単数の専用制御機器においては複数の制御対象が制御されるようになっていることを要旨とする。
【００１５】
請求項３に記載の発明は、請求項１又は請求項２に記載のパチンコ遊技機において、前記図柄表示装置として、配列した複数の発光体を点灯及び非点灯させることにより図柄を表示する表示機器を有する発光式図柄表示装置同士、及び外周面に図柄を表記した回転体を回転及び停止させることにより図柄を表示する表示機器を有する機械式図柄表示装置同士、並びに前記発光式図柄表示装置と前記機械式図柄表示装置を交換可能に構成したことを要旨とする。
【００２１】
【発明の実施の形態】
（第１の実施形態）
以下、本発明に係るパチンコ遊技機（以下、「遊技機」という。）を具体化した第１の実施形態を図１〜図５に基づき説明する。
【００２２】
図１に略示するように、遊技機１０において機体の外郭をなす外枠１１の開口前面側には、各種の遊技用構成部材をセットする縦長方形の中枠１２が開閉及び着脱自在に組み付けられている。そして、前記中枠１２の前面側には、機内部に配置された遊技盤１３を透視保護するためのガラス枠を備えた前枠１４と上球皿１５が共に横開き状態で開閉可能に組み付け整合されている。さらに、前記中枠１２の下部には下球皿１６、打球発射装置１７等が装着されている。また、前記遊技盤１３の遊技領域の略中央には、各種遊技状態（大当り状態、リーチ状態、はずれ状態など）を決定するために図柄を変動させて図柄組み合わせゲームを行う図柄表示手段としての図柄表示装置１８が配設されている。
【００２３】
ここで、前記図柄表示装置１８の具体的構成について図２及び図３に基づき説明する。
前記図柄表示装置１８には、図２で示すように複数列（本実施形態では、３列）の第１図柄１９、第２図柄２０及び第３図柄２１を各列毎に表示する表示機器としての図柄表示器Ｈが備えられている。また、図柄表示器Ｈには、その外周面に沿って図２に示すような０〜９までの数字図柄が等間隔で順番に表示されたドラム式の第１〜第３の図柄表示部２２〜２４が同一軸線上に３列配設されている。なお、「表示」とは、前記図柄表示器Ｈにおいて遊技者が図柄を識別できる状態で前記図柄が停止していることであり、「停止」には、所謂、ゆれ変動と言われる一旦停止状態と完全に停止した確定停止状態の何れの状態も含まれている。
【００２４】
また、前記各図柄表示部２２〜２４には、図３に示すように、前記各図柄表示部２２〜２４を各列別に回転駆動するための駆動ユニット２５〜２７が備えられている。さらに、前記駆動ユニット２５〜２７を構成する駆動基板２８〜３０には、前記各図柄表示部２２〜２４の回転を許容する駆動部（ステッピングモータ）Ｍ１〜Ｍ３が備えられている。そして、前記各図柄表示部２２〜２４は、前記各駆動部Ｍ１〜Ｍ３に対してビスＢなどにより取着されている。
【００２５】
また、前記各駆動基板２８〜３０には検出センサ３１〜３３が備えられている一方で、前記各図柄表示部２２〜２４の内周面には検出片３４〜３６が備えられている。即ち、前記各検出片３４〜３６は、前記各図柄表示部２２〜２４の基準位置（基準図柄の位置）に対応した位置に設けられており、前記各図柄表示部２２〜２４の回転により前記各検出片３４〜３６が前記各検出センサ３１〜３３を通過することで前記基準位置が分かるようになっている。
【００２６】
そして、このように構成された前記図柄表示器Ｈでは、前記各図柄表示部２２〜２４を制御（回転及び停止）することにより、所定の図柄が各列毎に表示されるようになっている。即ち、本実施形態の図柄表示装置１８は、所謂、機械式の図柄表示装置１８とされている。例えば、図２には、前記第１図柄１９〜第３図柄２１として図柄「６」が前記図柄表示器Ｈ（各図柄表示部２２〜２４）に表示された様子が示されている。
【００２７】
また、前記遊技機１０の機裏側には、遊技内容を統括して制御する主制御基板（以下、「主基板」という。）３９が装着されている（図１に点線で示す。）。そして、前記主基板３９には、当該主基板３９からの各種制御信号を受けて、図柄制御のための各種情報を演算し、該情報を所定信号として図柄表示装置１８に伝送処理する図柄制御手段としての図柄制御基板（以下、「図柄基板」という。）４０が接続されている（図１に点線で示す。）。即ち、前記図柄基板４０は、前記図柄表示装置１８（図柄表示器Ｈ）に対し前記所定信号を伝送して図柄制御を行うことで、前記図柄表示器Ｈでは、図柄組み合わせゲームによって前記第１〜第３図柄１９〜２１が各列毎に表示されるようになっている。
【００２８】
次に、前記主基板３９、図柄基板４０及び図柄表示装置１８の具体的な構成について図４に基づき詳細に説明する。
前記主基板３９には、遊技機１０を統括して制御するＣＰＵ（図示しない）及び遊技機１０の制御に必要な全ての制御情報（例えば、遊技状態を決定するための各種乱数や各図柄の変動パターン）を記憶保持したＲＯＭ（図示しない）などが備えられている。
【００２９】
なお、「各種乱数」とは、その乱数から抽出された数値に基づき遊技機１０の遊技状態、第１〜第３図柄１９〜２１として表示する図柄（確定停止図柄）、及び、各図柄の変動パターンなどを決定するものである。そして、前記主基板３９には、前記乱数として大当り判定用乱数、大当り図柄乱数、各はずれ図柄乱数、リーチ判定用乱数、変動パターン振分け乱数などが記憶保持されている。また、「変動パターン」とは、図柄表示器Ｈにおいて、図柄の変動表示を開始してから、前記第１〜第３図柄１９〜２１が表示されるまでの間において、前記変動パターン毎に予め定められた変動時間内における図柄の動作パターンを示したものである。即ち、変動パターンは、前記図柄表示装置１８で行われる演出に相当するものであって、例えば、リーチ状態となった時に特定の図柄をコマ送り、高速送りさせるなど図柄の動作パターンが示されている。
【００３０】
従って、前記図柄組み合わせゲームは、前述した各種乱数の抽出値によって決定される遊技状態、第１〜第３図柄１９〜２１及び変動パターンなどに基づいて行われるようになっている。そして、前記主基板３９は、前記図柄基板４０に対し前記図柄組み合わせゲームを行うための図柄制御を指示する前記各種制御信号を伝送するようになっている。なお、前記主基板３９から伝送される制御信号としては、例えば、図柄の変動表示の開始及び変動パターンを指示する変動開始コマンド、第１〜第３図柄１９〜２１の確定停止図柄を各列毎に指示する図柄指定コマンド及び第１〜第３図柄１９〜２１を確定停止させる全図柄停止コマンドとなっている。
【００３１】
一方、前記図柄基板４０には、前記主基板３９から受けた各種制御信号を前記図柄制御のための各種情報を演算処理する処理部を構成するＣＰＵ４１が備えられている。また、前記ＣＰＵ４１と主基板３９との間には入力ポート４２が配設されており、前記ＣＰＵ４１は前記各種制御信号を前記入力ポート４２を介して入力するようになっている。さらに、前記ＣＰＵ４１には、記憶部を構成するＲＯＭ４３及びＲＡＭ４４が接続されている。そして、前記ＲＯＭ４３には、前記演算処理を行うための各種制御プログラムなどの制御情報が記憶保持されている。また、前記ＲＡＭ４４には、前記入力ポート４２を介して入力した前記各種制御信号（各コマンド）や演算処理された各種情報などが記憶保持されるようになっている。
【００３２】
そして、前記ＣＰＵ４１は、前記主基板３９から前記各コマンドなどの制御信号を入力すると、前記ＲＯＭ４３に記憶保持された各種制御プログラムに基づき前記図柄制御のための各種情報を演算処理するようになっている。また、前記ＣＰＵ４１には、演算処理された各種情報を所定信号として前記図柄表示装置１８に伝送するための処理部を構成するシリアルポート４５が接続されている。そして、前記ＣＰＵ４１は、前記シリアルポート４５を通じて、前記図柄基板４０と前記図柄表示装置１８との間に配設されている複数本（本実施形態では５本）の伝送線としての信号線４６から前記所定信号を図柄表示装置１８に対してシリアル伝送するようになっている。
【００３３】
一方、前記図柄表示装置１８には、前記図柄基板４０から伝送された前記所定信号を入力すると共に、前記図柄表示装置１８に配設された各種機器（例えば、図柄表示器Ｈを制御する第１，第２の制御部４８，４９）を情報伝送阻害要因から保護するための保護機器（バッファ）４７が設けられている。なお、「情報伝送阻害要因」とは、前記図柄基板４０側で発生したノイズである。そして、前記保護機器４７は、前記図柄基板４０側でノイズが発生した場合に図柄表示装置１８側に流れ込む過電流を受け止めており、当該過電流から前記各機器を保護するようになっている。従って、前記図柄表示装置１８（図柄表示器Ｈ、第１，第２の制御部４８，４９など）が破壊されることを抑制することができる。
【００３４】
また、前記保護機器４７には、前記図柄表示器Ｈを構成する前記第１〜第３の図柄表示部２２〜２４を制御するための第１の制御部（コモンドライバー）４８及び第２の制御部（コモンドライバー）４９が接続されている。そして、前記第１の制御部４８は、前記図柄表示器Ｈにおいて、第１，第２の図柄表示部２２，２３（第１，第２の駆動部Ｍ１，Ｍ２）を制御するようになっている。一方、前記第２の制御部４９は、前記図柄表示器Ｈにおいて、第３の図柄表示部２４（第３の駆動部Ｍ３）を制御するようになっている。また、本実施形態においては、前記第１の制御部４８及び第２の制御部４９により前記図柄表示器Ｈを制御する制御部が構成されている。
【００３５】
そして、前記第１，第２の制御部４８，４９は、前記図柄表示器Ｈに対し各々による制御対象が異なるように各別に接続されている。
なお、「制御対象」とは、図柄表示器Ｈにおいて前記第１，第２の制御部４８，４９によって制御される対象（主体）となるものである。そして、前述した機械式の図柄表示装置１８の場合、第１の制御部４８は第１，第２の図柄表示部２２，２３及び第１，第２の駆動部Ｍ１，Ｍ２を制御対象（第１の制御対象）としている。また、第２の制御部４９は第３の図柄表示部２４及び第３の駆動部Ｍ３を制御対象（第２の制御対象）としている。また、「各別に接続される」とは、前記第１，第２の制御部４８，４９が独立しており、両制御部４８，４９間において信号の入出力が出来ない状態で図柄表示器Ｈに対して接続されていることを言う。
【００３６】
そして、前記第１の制御部４８は、第１の駆動部Ｍ１に対して電流を供給する各４つの位置（０度（＝３６０度）、９０度、１８０度、２７０度）を特定するための前記所定信号を伝送して制御している。そのため、前記第１の制御部４８と前記第１の駆動部Ｍ１は、４本の信号線ＭＴ１−１〜ＭＴ１−４によって接続されている。そして、前記第１の制御部４８は、前記所定信号を前記各信号線ＭＴ１−１〜ＭＴ１−４を通じて伝送し、前記第１の駆動部Ｍ１では該所定信号に基づき前記第１の図柄表示部２２を回転駆動させている。
【００３７】
また、前記第１の制御部４８は、第２の駆動部Ｍ２に対して前記第１の駆動部Ｍ１と同様に前記所定信号を伝送して制御している。そのため、前記第１の制御部４８と前記第２の駆動部Ｍ２は、４本の信号線ＭＴ２−１〜ＭＴ２−４によって接続されている。そして、前記第１の制御部４８は、前記所定信号を前記各信号線ＭＴ２−１〜ＭＴ２−４を通じて伝送し、前記第２の駆動部Ｍ２では該所定信号に基づき前記第２の図柄表示部２３を回転駆動させている。
【００３８】
一方、前記第２の制御部４９は、第３の駆動部Ｍ３に対して前記第１の駆動部Ｍ１及び第２の駆動部Ｍ２と同様に前記所定信号を伝送して制御している。そのため、前記第２の制御部５７と前記第３の駆動部Ｍ３は、４本の信号線ＭＴ３−１〜ＭＴ３−４によって接続されている。そして、前記第２の制御部４９は、前記所定信号を前記各信号線ＭＴ３−１〜ＭＴ３−４を通じて伝送し、前記第３の駆動部Ｍ３ではその所定信号に基づき前記第３の図柄表示部２４を回転駆動させている。
【００３９】
即ち、本実施形態では、第１の制御部４８において複数の制御対象（第１，第２の図柄表示部２２，２３及び第１，第２の駆動部Ｍ１，Ｍ２）が制御されるようになっている。また、機械式の図柄表示装置１８の場合、制御対象として第１〜第３の図柄表示部２２〜２４及び第１〜第３の駆動部Ｍ１〜Ｍ３があり、第１の制御部４８と第２の制御部４９は各々による制御対象が異なっている。その一方で、前記第１の制御部４８及び第２の制御部４９は、同種の制御対象（図柄表示部と駆動部）を制御していることから同種の制御部（一種類の専用制御機器）として位置付けることができる。
【００４０】
また、前記第１の制御部４８と前記第１，第２の駆動部Ｍ１，Ｍ２との間であって、前記各信号線ＭＴ１−１〜ＭＴ１−４，ＭＴ２−１〜ＭＴ２−４には、増幅機器（トランジスタ）５０及びコネクタ５１が接続されている。さらに、前記第２の制御部４９と前記第３の駆動部Ｍ３との間であって、前記各信号線ＭＴ３−１〜ＭＴ３−４には、前記増幅機器（トランジスタ）５０及びコネクタ５１が接続されている。そして、前記増幅機器５０は、前記第１，第２の制御部４８，４９から出力された所定信号に対応する情報伝送媒体（電流）の出力を増幅させるようになっている。
【００４１】
従って、第１，第２の制御部４８，４９から出力された所定信号は、前記増幅機器５０によって増幅されることにより、図柄表示器Ｈに対して正確な図柄制御を実現できる。なお、前記増幅機器５０は、出力が弱い第１，第２の制御部４８，４９に対して接続されていれば良く、何れか一方の制御部に接続されていても良い。
【００４２】
従って、このように構成された機械式の図柄表示装置１８では、前記各制御部４８，４９から前記各駆動部Ｍ１〜Ｍ３に対し図柄制御のための所定信号が伝送されると、当該信号に基づき前記各図柄表示部２２〜２４の制御（回転及び停止）が行われるようになっている。その結果、前記各図柄表示部２１〜２４は各列毎に所定の図柄を表示し、その図柄の組み合わせの態様から各種遊技状態を認識できるようになっている。
【００４３】
次に、前記図柄基板４０と図柄表示装置１８とを接続するための前記信号線４６の種類、及び、前記信号線４６を介して伝送された所定信号に基づき図柄表示器Ｈが制御される態様を具体的に説明する。
【００４４】
前記図柄基板４０のＣＰＵ４１は、前記主基板３９からの各種制御信号（各コマンド）を受けて、当該制御信号を図柄制御のための各種情報を演算処理し、当該情報を所定信号として前記図柄表示装置１８に対して伝送するようになっている。即ち、前記ＣＰＵ４１では、前記図柄指定コマンドによって指示された図柄を前記図柄表示器Ｈに表示させるべく以下に説明するような所定信号を前記図柄表示装置１８に対し伝送するようになっている。
【００４５】
前記ＣＰＵ４１は、第１の制御部４８が、前記図柄表示器Ｈに対して図柄制御を行うための第１の図柄制御信号（以下、「ＦＬＭ信号」という。）を伝送するようになっている。そして、前記ＦＬＭ信号は、第１の制御部４８が、前記第１の駆動部Ｍ１及び第２の駆動部Ｍ２に対して回転制御を各別に指示するための情報から構成された信号となっている。また、前述のように、前記第１の制御部４８は、複数の制御対象（第１の駆動部Ｍ１（第１の図柄表示部２２）及び第２の駆動部Ｍ２（第２の図柄表示部２３））を制御するようになっている。従って、前記ＦＬＭ信号は、第１の駆動部Ｍ１（第１の図柄表示部４１）の回転制御を指示する情報、第２の駆動部Ｍ２（第２の図柄表示部４２）の回転制御を指示する情報というように２個の情報から構成されており、これらの情報はＣＰＵ４１において演算処理されている。
【００４６】
そして、前記ＣＰＵ４１は、第１の駆動部Ｍ１に対する情報→第２の駆動部Ｍ２に対する情報という順番でＦＬＭ信号として伝送するようになっている。このとき、前記ＣＰＵ４１は、前記ＦＬＭ信号を、前記図柄基板４０（シリアルポート４５）と図柄表示装置１８（保護機器４７）とを接続する第１の図柄制御信号伝送線としてのＦＬＭ用信号線を介して伝送するようになっている。そして、前記第１の制御部４８は、入力した前記ＦＬＭ信号を構成する各情報のうち、第１の駆動部Ｍ１に対する情報を信号線ＭＴ１−１〜ＭＴ１−４を通じて第１の駆動部Ｍ１に伝送して制御するようになっている。また、前記第１の制御部４８は、入力した前記ＦＬＭ信号を構成する各情報のうち、第２の駆動部Ｍ２に対する情報を信号線ＭＴ２−１〜ＭＴ２−４を通じて第２の駆動部Ｍ２に伝送して制御するようになっている。
【００４７】
また、前記ＣＰＵ４１は、前記第１の制御部４８に対し、前記ＦＬＭ用信号線を通じて伝送された前記ＦＬＭ信号の読込を指示する第１の読込信号（以下、「ＦＣＫ信号」という。）を伝送するようになっている。即ち、前記ＦＣＫ信号は、ＩＮＴ信号、若しくは、ストローブ信号に相当している。
【００４８】
そして、前記ＣＰＵ４１は、前記ＦＬＭ信号の伝送タイミングに併せて、前記ＦＣＫ信号を第１の制御部４８に対し伝送するようになっている。このとき、前記ＣＰＵ４１は、前記ＦＣＫ信号を、前記図柄基板４０（シリアルポート４５）と図柄表示装置１８（保護機器４７）とを接続する第１の読込信号伝送線としてのＦＣＫ用信号線を介して伝送するようになっている。そして、前記第１の制御部４８は、前記ＦＣＫ信号の入力により第１の駆動部Ｍ１及び第２の駆動部Ｍ２に対する各情報を読込むようになっている。
【００４９】
また、前記ＣＰＵ４１は、第２の制御部４９が、前記図柄表示器Ｈに対して図柄制御を行うための第２の図柄制御信号（以下、「ＳＩＤ信号」という。）を伝送するようになっている。そして、前記ＳＩＤ信号は、第２の制御部４９が、前記第３の駆動部Ｍ３に対して回転制御を指示するための情報から構成された信号となっている。従って、前記ＳＩＤ信号は、第３の駆動部Ｍ３（第３の図柄表示部４３）の回転制御を指示する情報というように１個の情報から構成されており、この情報はＣＰＵ４１において演算処理されている。
【００５０】
そして、前記ＣＰＵ４１は、第３の駆動部Ｍ１に対する情報をＳＩＤ信号として前記図柄基板４０（シリアルポート４５）と図柄表示装置１８（保護機器４７）とを接続する第２の図柄制御信号伝送線としてのＳＩＤ用信号線を介して伝送するようになっている。また、前記第２の制御部４９は、入力した前記ＳＩＤ信号を構成する第３の駆動部Ｍ３に対する情報を信号線ＭＴ３−１〜ＭＴ３−４を通じて第３の駆動部Ｍ３に伝送して制御するようになっている。
【００５１】
次に、前記ＣＰＵ４１は、前記第２の制御部４９に対し、前記ＳＩＤ用信号線を通じて伝送された前記ＳＩＤ信号の読込を指示する第２の読込信号（以下、「ＳＣＫ信号」という。）を伝送するようになっている。即ち、前記ＳＣＫ信号は、ＩＮＴ信号、若しくは、ストローブ信号に相当している。
【００５２】
そして、前記ＣＰＵ４１は、前記ＳＩＤ信号の伝送タイミングに併せて、前記ＳＣＫ信号を第２の制御部４９に対し伝送するようになっている。このとき、前記ＣＰＵ４１は、前記ＳＣＫ信号を、前記図柄基板４０（シリアルポート４５）と図柄表示装置１８（保護機器４７）とを接続する第２の読込信号伝送線としてのＳＣＫ用信号線を介して伝送するようになっている。そして、前記第２の制御部４９は、前記ＳＣＫ信号の入力により第３の駆動部Ｍ３に対する情報を読込むようになっている。
【００５３】
また、前記ＣＰＵ４１は、前記ＦＣＫ信号とＳＩＤ信号から得ることができる前記図柄表示器Ｈに対する図柄の表示態様を確定する確定信号（以下、「ＤＬＴ信号」という。）を伝送するようになっている。即ち、前記ＤＬＴ信号は、ＦＬＭ信号とＦＣＫ信号、及び、ＳＩＤ信号とＳＣＫ信号により指示された前記第１〜第３の図柄表示部２２〜２４に表示すべき図柄を確定するための情報から構成された信号となっている。なお、前記ＤＬＴ信号は、ラッチ信号に相当している。
【００５４】
そして、前記ＣＰＵ４１は、前記ＤＬＴ信号を、第１の制御部４８及び第２の制御部４９に対し、同一の信号線を介して伝送するようになっている。即ち、ＣＰＵ４１は、ＤＬＴ信号を、前記図柄基板４０（シリアルポート４５）と図柄表示装置１８（保護機器４７）とを接続する確定信号伝送線としてのＤＬＴ用信号線を介して伝送するようになっている。そのため、前記ＤＬＴ用信号線は、第１の制御部４８及び第２の制御部４９に対してＤＬＴ信号を伝送するために共用化されている。従って、前記各制御部４８，４９に対して前記ＤＬＴ信号を伝送するためのＤＬＴ用信号線を設ける必要がなく、信号線４６の本数を削減することができる。なお、「図柄表示器Ｈに対する図柄の表示態様」とは、図柄表示器Ｈに表示される図柄の種類を示しており、機械式の図柄表示装置１８においては、前記第１〜第３の図柄表示部２２〜２４が回転制御されて停止した時に表示する図柄の種類が決定される。
【００５５】
また、前記ＣＰＵ４１は、前記図柄の表示態様に対応するＦＬＭ信号及びＳＩＤ信号を無効化するための無効化信号（以下「ＥＮＢ信号」という。）を伝送するようになっている。そして、前記ＥＮＢ信号は、第１の制御部４８が読込んだＦＬＭ信号及び第２の制御部４９が読込んだＳＩＤ信号を消去し、図柄表示器Ｈに表示された図柄を強制的に非表示させるための情報から構成された信号となっている。即ち、ＥＮＢ信号は、第１，第２の制御部４８，４９に残存しているＦＬＭ信号及びＳＩＤ信号によって図柄表示器Ｈの制御に影響を与える阻害要因を排除している。従って、機械式の図柄表示装置１８の場合には、前記各図柄表示部２２〜２４の制御（回転及び停止）を速やかに行うことができる。
【００５６】
そして、前記ＣＰＵ４１は、前記ＥＮＢ信号を、第１の制御部４８及び第２の制御部４９に対し、同一の信号線を介して伝送するようになっている。即ち、ＣＰＵ４１は、ＥＮＢ信号を、前記図柄基板４０（シリアルポート４５）と図柄表示装置１８（保護機器４７）とを接続する無効化信号伝送線としてのＥＮＢ用信号線を介して前記第１，第２の制御部４８，４９に対し各々伝送するようになっている。そのため、前記ＥＮＢ用信号線は、第１の制御部４８及び第２の制御部４９に対してＥＮＢ信号を伝送するために共用化されている。従って、前記各制御部４８，４９に対して前記ＥＮＢ信号を伝送するためのＥＮＢ用信号線を設ける必要が無く、信号線４６の本数を削減することができる。
【００５７】
そして、前記図柄表示器Ｈは、前記ＣＰＵ４１から伝送される前記各信号に基づき制御されるようになっている。
即ち、前記ＣＰＵ４１は、最初に、前記第１の制御部４８に対して前記ＦＬＭ用信号線を介して前記ＦＬＭ信号（第１，第２の駆動部Ｍ１，Ｍ２に対する情報）を伝送する。また、前記ＣＰＵ４１は、前記ＦＬＭ信号の伝送タイミングに併せて、前記第１の制御部４８に対してＦＣＫ用信号線を介してＦＣＫ信号を伝送する。その結果、前記第１の制御部４８では、ＦＣＫ信号が入力される毎に、前記ＦＬＭ信号を構成する第１の駆動部Ｍ１（第１の図柄表示部２２）及び第２の駆動部Ｍ２（第２の図柄表示部２３）を制御するための各情報が読込まれる。
【００５８】
次に、前記ＣＰＵ４１は、前記第２の制御部４９に対してＳＩＤ用信号線を介して前記ＳＩＤ信号（第３の駆動部Ｍ３に対する情報）を伝送する。また、前記ＣＰＵ４１は、前記ＳＩＤ信号の伝送タイミングに併せて、前記第２の制御部４９に対してＳＣＫ用信号線を介してＳＣＫ信号を伝送する。その結果、前記第２の制御部４８では、ＳＣＫ信号が入力されると、前記ＳＩＤ信号を構成する第３の駆動部Ｍ３（第３の図柄表示部２４）を制御するための情報が読込まれる。
【００５９】
次に、前記ＣＰＵ４１は、ＤＬＴ用信号線を介して第１の制御部４８及び第２の制御部４９に対してＤＬＴ信号を伝送する。その結果、ＦＬＭ信号とＦＣＫ信号、及び、ＳＩＤ信号とＳＣＫ信号により前記各図柄表示部２２〜２４が回転し停止する位置が特定され、図柄表示器Ｈに対する図柄の表示態様が確定される。そして、前記各図柄表示部２２〜２４において図柄の表示態様が確定すると、前記図柄表示器Ｈでは前記各図柄表示部２２〜２４の回転制御により所定の図柄が表示されるようになっている。その後、前記ＣＰＵ４１は、前記第１，第２の制御部４８，４９に対しＥＮＢ用信号線を介してＥＮＢ信号を伝送することにより、図柄表示器Ｈに表示された図柄が非表示される。
【００６０】
そして、本実施形態では、前記図柄基板４０側に前記図柄表示器Ｈの種類に関係なく共通使用可能なＣＰＵ４１、入力ポート４２、ＲＯＭ４３、ＲＡＭ４４及びシリアルポート４５などの共通制御機器が配設されている。一方で、前記図柄表示装置１８側には、図柄表示器Ｈに対して専用使用される第１の制御部４８及び第２の制御部４９などの専用制御機器が配設されている。
【００６１】
その結果、図柄基板４０と図柄表示装置１８とは、前記シリアルポート４５と保護機器４７との間において６本の信号線４６（ＦＬＭ用信号線、ＦＣＫ用信号線、ＳＩＤ用信号線、ＳＣＫ用信号線、ＤＬＴ用信号線、ＥＮＢ用信号線）を介して接続することができる。即ち、前記第１，第２の制御部４８，４９が図柄基板４０側に配設されている場合（従来の技術）には、図柄表示器Ｈを構成する第１〜第３の駆動部Ｍ１〜Ｍ３の制御態様に応じた本数の信号線によって前記図柄基板４０と図柄表示装置１８は接続されることになる。例えば、図８に示すように、前記第１〜第３の駆動部Ｍ１〜Ｍ３に対して各４本の信号線を必要とする場合には、前記図柄基板４０と図柄表示装置１８は１２本の信号線によって接続されることになる。
【００６２】
これに対し、本実施形態のように、第１，第２の制御部４８，４９を図柄表示装置１８側に配設した場合には、前述のように６本の信号線４６によって図柄基板４０と図柄表示装置１８を接続することができる。従って、信号線４６の本数を削減することができ、遊技機１０の組み付け性の向上やコスト削減に貢献することができる。
【００６３】
次に、本実施形態における前記図柄基板４０と図柄表示装置１８の構成についてさらに詳細に説明する。
即ち、本実施形態の図柄基板４０及び図柄表示装置１８には、遊技機１０の機種変更時に図柄表示器Ｈの種類が変更された場合でもゴミの現出を抑制できるように前記共通制御機器と専用制御機器を区分けして配設している。
【００６４】
ここで、前記図柄表示器Ｈの種類の変更態様を説明する。
図柄表示器Ｈとしては、前述した機械式の図柄表示装置１８の他に、ドットマトリクス式の図柄表示装置や７セグメント式の図柄表示装置などが広く知られている。因みに、前者のドットマトリクス式の図柄表示装置は、複数個の発光体（発光ダイオードなど）を行列状（マトリクス状）に配置して構成されている。そして、所定の位置に配置された前記発光体Ｌを点灯／非点灯させるように図柄表示器を制御することにより、数字図柄（０〜９など）や文字図柄を発光表示させるように構成されたものである。また、後者の７セグメント式の図柄表示装置では、１列の図柄が７個の発光体（発光ダイオード）を「８」の字状に配置して構成されている。そして、１列の図柄を表示する際に所定の位置に配置されている発光体を点灯／非点灯させることにより数字図柄や文字図柄を発光表示させるように構成されたものである。
【００６５】
そして、遊技機１０の機種変更時には、その遊技内容に応じて、例えば、機械式の図柄表示装置１８（図柄表示器Ｈ）からドットマトリクス式（又は７セグメント式）の図柄表示装置に変更される場合がある。従って、このような場合には、各図柄表示装置１８（図柄表示器Ｈ）の構成及び制御態様が異なることから図柄表示器Ｈの種類が変更されたことになる。
【００６６】
また、それ以外の変更態様としては、例えば、同種の機械式の図柄表示装置１８であっても、遊技機１０の機種変更時には、その遊技内容に応じて図柄表示器Ｈに表示する図柄の列数を変更する場合がある。より具体的に例示すれば、前記第１〜第３の図柄表示部２２〜２４の個数を３つ→２つ（第１，第２の図柄表示部２２，２３）に変更し、図柄表示器Ｈに２列の図柄を表示させる場合などである。また、同様に、ドットマトリクス式、若しくは、７セグメントＬＥＤ式の図柄表示装置であっても、表示する図柄の列数に応じて発光体の配列数や発光体の数を変更する場合がある。そして、これらの場合においても、各図柄表示装置１８（図柄表示器Ｈ）の構成及び制御態様が異なることから図柄表示器Ｈの種類が変更されたことになる。
【００６７】
そのため、本実施形態では、前述した図柄表示器Ｈの種類の変更態様に基づき、前記図柄基板４０側に配設する共通制御機器と図柄表示装置１８側に配設する専用制御機器とを区分けしている。
【００６８】
そして、前記図柄基板４０は、遊技機１０の機種変更時に交換の対象とならない非交換部位とされている。従って、前記図柄基板４０には、機種変更時において交換する必要がない機器、即ち、図柄表示器Ｈの種類に関係なく共通使用可能な前記共通制御機器を配設している。
【００６９】
なお、「非交換部位」とは、機種変更後の遊技機１０においてパチンコ遊技を行う上で何ら遊技に影響を与えない部位であり、前記遊技機１０の外観変更や破損などの特別な理由がない限り交換する必要のない部位である。因みに、遊技機１０の機種変更時においては、主に遊技盤１３、主基板３９などが交換の対象となる交換部位とされている。また、「共通制御機器」とは、遊技機１０の機種変更時に図柄表示器Ｈ（図柄表示装置１８）の種類が前述した変更態様に基づき変更された場合でも、交換することなく継続使用可能な交換不要機器である。又は、その機器自体に記憶保持されている前記図柄制御のための各種制御情報を書き換えることにより再使用可能な再使用機器である。
【００７０】
そして、図柄基板４０に配設された前記ＣＰＵ４１は、主基板３９からの制御信号を受けて、前記ＲＯＭ４３に記憶保持されている制御情報（各種制御プログラム）に基づき各種情報（ＦＬＭ信号やＳＩＤ信号を構成する情報など）を演算処理するようになっている。そのため、前記ＣＰＵ４１は、ＲＯＭ４３に記憶保持された制御情報が前記図柄表示器Ｈの種類に適合している場合に所定の演算処理を行うことができることから共通制御機器（交換不要機器）とすることができる。
【００７１】
また、前記入力ポート４２は、前記主基板３９と前記ＣＰＵ４１とを接続するための機器であることから共通制御機器（交換不要機器）とすることができる。さらに、前記シリアルポート４５は、前記図柄基板４０（ＣＰＵ４１）と前記図柄表示装置１８（保護機器４７）とを接続するための機器であることから共通制御機器（交換不要機器）とすることができる。即ち、前記入力ポート４２及びシリアルポート４５は、主基板３９とＣＰＵ４１、若しくは、ＣＰＵ４１と保護機器４７とを接続しており、前記図柄表示器Ｈの種類に関係なく使用することができる。
【００７２】
また、前記ＲＯＭ４３には、図柄表示器Ｈの種類に適合した制御情報（各種制御プログラムなど）が記憶保持されている。さらに、ＲＡＭ４４には、前記ＣＰＵ４１が演算処理した各種情報など、パチンコ遊技の進行に伴って適宜書き換えられる情報が記憶保持されている。しかしながら、前記ＲＯＭ４３やＲＡＭ４４は、図柄表示器Ｈの種類に応じて記憶保持される情報の内容が異なっているに過ぎず、その機器自体は前記図柄表示器Ｈの種類に関係なく使用できるようになっている。そのため、前記ＲＯＭ４３は、記憶保持する情報を前記図柄表示器Ｈの種類に適合するように書き換えることにより再使用することができる。また、前記ＲＡＭ４４は、記憶保持された情報を消去することにより再使用することができる。従って、前記ＲＯＭ４３やＲＡＭ４４は、図柄制御のための各種制御情報を書き換える（消去も含む）ことにより再使用可能な共通制御機器（再使用機器）とすることができる。
【００７３】
このように、前記ＣＰＵ４１、入力ポート４２、ＲＯＭ４３、ＲＡＭ４４及びシリアルポート４５は、図柄表示器Ｈの種類に関係なく共通使用可能であり、何れも非交換部位である前記図柄基板４０に配設することができる。従って、遊技機１０の機種変更時に前記図柄表示器Ｈの種類が変更された場合でも、図柄基板４０は変更後の図柄表示器Ｈを制御するために使用することができ、ゴミの現出を抑制することができる。
【００７４】
一方、図柄表示装置１８側には、図柄表示器Ｈの種類に応じて専用使用される専用制御機器が配設されている。
なお、「専用制御機器」とは、遊技機１０の機種変更時に図柄表示器Ｈ（図柄表示装置１８）の種類が前述した変更態様に基づき変更された場合、変更後の図柄表示器（図柄表示装置）の制御を実行するにあたって交換が必要とされる交換必要機器である。
【００７５】
そして、前記図柄表示装置１８に配設された前記第１の制御部４８及び第２の制御部４９は、図柄基板４０からの所定信号（ＦＬＭ信号、ＦＣＫ信号、ＳＩＤ信号、ＳＣＫ信号、ＤＬＴ信号、ＥＮＢ信号）を受けて図柄表示器Ｈを直接制御する機器となっている。例えば、機械式の図柄表示装置１８の場合、前記第１の制御部４８は図柄表示器Ｈを構成する第１，第２の図柄表示部２２，２３を、第２の制御部４９は第３の図柄表示部２４を制御するようになっている。これに対し、ドットマトリクス式の図柄表示装置の場合、前記第１の制御部は図柄表示器Ｈを構成する行側に配置されている発光体Ｌを、第２の制御部は列側に配置されている発光体Ｌを制御するようになっている。そのため、遊技機１０の機種変更時に機械式からドットマトリクス式の図柄表示装置１８（図柄表示器Ｈ）に変更された場合、前記第１，第２の制御部４８，４９は、その構成及び制御態様が異なることから交換が必要とされている。
【００７６】
また、同種の機械式の図柄表示装置１８において、図柄表示器Ｈに３列の図柄を表示するように構成されている場合、第１の制御部４８は第１，第２の図柄表示部２２，２３を、第２の制御部４９は第３の図柄表示部２４を制御するようになっている。これに対し、２列の図柄を表示するように構成されている場合、第１の制御部４８は第１，第２の図柄表示部２２，２３を制御し、第２の制御部４９は不要となっている。そのため、遊技機１０の機種変更時に３列の図柄を表示する構成から２列の図柄を表示する構成からなる機械式の図柄表示装置１８に変更された場合、前記第１，第２の制御部４８，４９は、その構成及び制御態様が異なることから交換が必要とされている。
【００７７】
従って、前記第１，第２の制御部４８，４９は、図柄表示器Ｈの種類が変更された場合、その変更後の図柄表示器Ｈに適合する制御部に変更する必要があることから専用制御機器（交換必要機器）とすることができる。なお、図柄表示装置１８側に配設されている保護機器４７、増幅機器５０及びコネクタ５１などは、その機能上、図柄表示装置１８側に配設せざる得ない機器である。そして、これらの各機器４７，５０，５１は、図柄表示器Ｈの種類に関係なく使用できる機器であり、専用制御機器には該当しない。
【００７８】
このように、前記第１の制御部４８及び第２の制御部４９は、図柄表示器Ｈに対して専用使用される機器であり、遊技機１０の機種変更時に図柄表示器Ｈと共に交換されるようになっている。従って、遊技機１０の機種変更時に前記図柄表示器Ｈの種類が変更された場合には、専用制御機器のみが廃棄処分されることになり、ゴミの現出を抑制することができる。
【００７９】
次に、前述のように構成された遊技機１０において、その機種変更時に図柄表示装置１８（図柄表示器Ｈ）の種類が変更される場合について図４及び図５に基づき説明する。なお、以下の説明では、機械式の図柄表示装置１８からドットマトリクス式の図柄表示装置５５に変更される態様を説明する。また、図４及び図５において、同一の構成には同一の番号を付し、その重複する説明は省略する。
【００８０】
最初に、ドットマトリクス式の図柄表示装置５５について図５に基づき説明する。
前記図柄表示装置５５には、複数列（本実施形態では３列）の図柄を各列毎に発光表示する表示機器としての図柄表示器Ｈ’が備えられている。そして、前記図柄表示器Ｈ’は、複数個（本実施形態では６４個）の発光体Ｌ（例えば、発光ダイオード）を行列状（マトリクス状）に、例えば、８行×８列に配置して構成されている。また、前記図柄表示器Ｈ’には、単色（例えば、赤色のみ）、若しくは、複数色（例えば、赤色、青色、緑色の三色）の発光体Ｌが使用されている。
【００８１】
従って、このように構成されたドットマトリクス式の図柄表示装置５５では、所定の位置に配置された前記発光体Ｌを点灯／非点灯させるように前記図柄表示器Ｈを制御することにより、数字図柄（０〜９など）や文字図柄（又は絵図柄）が発光表示されるようになっている。そして、発光表示された図柄の組み合わせ態様から各種遊技状態を認識できるようになっている。
【００８２】
そして、前記図柄表示装置５５には、前記図柄基板４０のシリアルポート４５に対して前記信号線４６を介して接続される前記保護機器４７が設けられている。また、前記保護機器４７には、前記図柄表示器Ｈ’を構成する前記発光体Ｌの点灯／非点灯を制御するための第１の制御部（コモンドライバー）５６及び第２の制御部（セグメントドライバー）５７が接続されている。そして、前記第１の制御部５６は、前記図柄表示器Ｈにおいて、行側（８行）に配置されている発光体Ｌの点灯／非点灯を制御するようになっている。一方、前記第２の制御部５７は、前記図柄表示器Ｈにおいて、列側（８列）に配置されている発光体Ｌの点灯／非点灯を制御するようになっている。
【００８３】
そして、前記第１，第２の制御部５６，５７は、前記図柄表示器Ｈに対し各々による制御対象が異なるように各別に接続されている。
なお、前述のように、「制御対象」とは、図柄表示器Ｈにおいて前記各制御部５６，５７によって制御される対象（主体）となるものである。そして、前述したドットマトリクス式の図柄表示装置５５の場合、第１の制御部５６は行側に配置されている発光体Ｌを制御対象とし、第２の制御部５７は列側に配置されている発光体Ｌを制御対象としている。
【００８４】
また、前記第１の制御部５６は、前記図柄基板４０から伝送された前記所定信号を構成する情報に基づき前記発光体Ｌを行単位で制御するようになっている。即ち、前記第１の制御部５６と前記図柄表示器Ｈとは、８本の信号線ＣＯＭ１〜ＣＯＭ８によって接続されている。そして、前記第１の制御部５６は、前記所定信号を構成する情報に基づいて、各行毎に点灯／非点灯を制御すると共に、各行を構成する全ての発光体Ｌ（各８個）を同時に並行して制御するようになっている。
【００８５】
また、前記第１の制御部５６と図柄表示器Ｈとの間であって、前記各信号線ＣＯＭ１〜ＣＯＭ８には、増幅機器（トランジスタ）５０が接続されている。そして、前記増幅機器５０は、前記第１の制御部５６から出力された所定信号に対応する情報伝送媒体（電流）の出力を増幅させるようになっている。
【００８６】
また、前記第２の制御部５７は、前記図柄基板４０から伝送された前記所定信号を構成する情報に基づき前記発光体Ｌを列単位で制御するようになっている。即ち、前記第２の制御部５７と前記図柄表示器Ｈとは、８本の信号線ＳＥＧ１〜ＳＥＧ８によって接続されている。そして、前記第２の制御部５７は、前記所定信号を構成する情報に基づいて、各列毎に点灯／非点灯を制御すると共に、各列を構成する全ての発光体Ｌ（各８個）を同時に並行して制御するようになっている。
【００８７】
即ち、ドットマトリクス式の図柄表示装置５５の場合、制御対象として行、若しくは、列に接続された発光体Ｌの２種類があり、前記第１の制御部５６と第２の制御部５７は、異種の制御対象を制御していることから異種の制御部として位置付けることができる。
【００８８】
従って、このように構成されたドットマトリクス式の図柄表示装置５５では、前記各制御部５６，５７によって点灯／非点灯が制御された行と列との関係により点灯する発光体Ｌが特定されるようになっている。そして、その特定された発光体Ｌが点灯することにより、前記図柄表示器Ｈには前記第１〜第３図柄１９〜２１が発光表示されるようになっている。例えば、図５に示した図柄表示器Ｈ’において、発光体Ｌ１を点灯させる場合、第１の制御部５６が信号線ＣＯＭ１に接続された発光体Ｌの点灯を指示すると共に、第２の制御部５７が信号線ＳＥＧ８に接続された発光体Ｌの点灯を指示するようになっている。その結果、前記信号線ＣＯＭ１と信号線ＳＥＧ８とが重なりあう位置（座標）に接続されている発光体Ｌ１が点灯するようになっている。
【００８９】
そして、このように構成されたドットマトリクス式の図柄表示装置５５は、前述した６本の信号線４６（ＦＬＭ用信号線、ＦＣＫ用信号線、ＳＩＤ用信号線、ＳＣＫ用信号、ＤＬＴ用信号線、ＥＮＢ用信号線）を介して前記図柄基板４０と接続されている。即ち、機械式の図柄表示装置１８を図柄基板４０に接続した時（図４）と同じ信号線４６を用いて接続することができる。また、前記図柄基板４０のＲＯＭ４３及びＲＡＭ４４は、記憶保持している機械式の図柄表示装置１８に適合する制御情報がドットマトリクス式の図柄表示装置５５に適合する制御情報に書き換えられる。これにより、種類の異なる図柄表示装置１８，５５であっても図柄基板４０を交換することなく図柄制御を行うことができる。
【００９０】
なお、ドットマトリクス式の図柄表示装置５５に変更されると、前記ＣＰＵ４１から伝送される所定信号の内容が異なるため、それらの信号について以下に説明する。
【００９１】
まず、ＦＬＭ信号は、各行に接続されている全ての発光体Ｌに点灯を指示するための情報から構成された信号となっている。そして、前記ＦＬＭ信号は、第１の制御部５６が各信号線ＣＯＭ１〜ＣＯＭ８に対して各行別に点灯を指示する８個の情報から構成されている。より具体的に言えば、前記ＦＬＭ信号は、信号線ＣＯＭ１に対する情報、信号線ＣＯＭ２に対する情報、信号線ＣＯＭ３に対する情報、信号線ＣＯＭ４に対する情報、信号線ＣＯＭ５に対する情報、信号線ＣＯＭ６に対する情報、信号線ＣＯＭ７に対する情報、及び、信号線ＣＯＭ８に対する情報から構成されている。
【００９２】
そして、前記ＣＰＵ４１は、信号線ＣＯＭ１に対する情報→信号線ＣＯＭ２に対する情報→・・・信号線ＣＯＭ７に対する情報→信号線ＣＯＭ８に対する情報という順番でＦＬＭ信号として伝送するようになっている。このとき、前記ＣＰＵ４１は、前記ＦＬＭ信号を、前記ＦＬＭ用信号線を介して伝送するようになっている。
【００９３】
次に、ＦＣＫ信号は、各行に接続されている全ての発光体Ｌのうち、実際に点灯を指示する行に対する情報を前記第１の制御部５６に読込ませるための情報から構成された信号となっている。即ち、この場合のＦＣＫ信号も、ＩＮＴ信号、若しくは、ストローブ信号に相当している。また、前記ＣＰＵ４１は、前記ＦＬＭ信号の伝送タイミングに併せて、前記ＦＣＫ信号を第１の制御部５６に対し前記ＦＣＫ用信号線を介して伝送するようになっている。
【００９４】
そして、前記第１の制御部５６では、ＦＬＭ用信号線を介して伝送された前記ＦＬＭ信号を構成する信号線ＣＯＭ１〜ＣＯＭ８に対応する情報を前記各信号線ＣＯＭ１〜ＣＯＭ８に伝送する。また、第１の制御部５６は、実際に点灯させる発光体Ｌを含む信号線ＣＯＭ１〜ＣＯＭ８に対してのみに前記ＦＣＫ用信号線を介して伝送されたＦＣＫ信号を構成する情報を伝送する。その結果、図柄表示器Ｈでは、前記点灯を指示する情報と共に読込みを指示する情報が伝送された行（信号線ＣＯＭ１〜ＣＯＭ８）を構成する発光体Ｌの制御が行われるようになっている。
【００９５】
次に、ＳＩＤ信号は、各列に接続されている全ての発光体Ｌに点灯を指示するための情報から構成された信号となっている。そして、前記ＳＩＤ信号は、第２の制御部５７が各信号線ＳＥＧ１〜ＳＥＧ８に対して各列別に点灯を指示する情報から構成されている。
【００９６】
ここで、前記ＳＩＤ信号を構成する情報を具体的に説明すると、図柄表示器Ｈでは、第１の制御部５６が１本の信号線ＣＯＭ１に接続された全ての発光体Ｌの制御を行う際に、第２の制御部５７が８本の信号線ＳＥＧ１〜ＳＥＧ８に接続された発光体Ｌの制御を行う態様となっている。即ち、前記図柄表示器Ｈでは、１行毎（信号線ＣＯＭ１〜ＣＯＭ８毎）に点灯する発光体Ｌの位置が特定されるようになっている。そのため、１本の信号線ＣＯＭ１に接続された発光体Ｌの点灯を指示する１個の情報に対して、８本の信号線ＳＥＧ１〜ＳＥＧ８に接続された発光体Ｌの点灯を指示する８個の情報が必要となっている。従って、前記ＳＩＤ信号は、前記第２の制御部５７が各信号線ＳＥＧ１〜ＳＥＧ８に対して各列別に点灯を指示する６４個（８行×８列）を演算処理し、該情報をＳＩＤ信号として伝送するようになっている。即ち、ＣＰＵ４１では、信号線ＣＯＭ１に対する情報に対応して、信号線ＳＥＧ１に対する情報、信号線ＳＥＧ２に対する情報、・・・、信号線ＳＥＧ７に対する情報、及び、信号線ＳＥＧ８に対する情報が演算処理されている。また、同様に、ＣＰＵ４１では、信号線ＣＯＭ２〜ＣＯＭ８に各別に対応して、信号線ＳＥＧ１〜ＳＥＧ８に対する情報が演算処理されている。
【００９７】
そして、前記ＣＰＵ４１は、信号線ＣＯＭ１に対応する信号線ＳＥＧ１〜ＳＥＧ８に対する各情報→信号線ＣＯＭ２に対応する信号線ＳＥＧ１〜ＳＥＧ８に対する各情報→・・・という順番でＳＩＤ信号として伝送するようになっている。このとき、前記ＣＰＵ４１は、前記ＳＩＤ信号を、前記ＳＩＤ用信号線を介して伝送するようになっている。
【００９８】
次に、ＳＣＫ信号は、各列に接続されている全ての発光体Ｌのうち、実際に点灯を指示する列に対する情報を前記第２の制御部５７に読込ませるための情報から構成された信号となっている。即ち、この場合のＳＣＫ信号も、ＩＮＴ信号、若しくは、ストローブ信号に相当している。また、前記ＣＰＵ４１は、前記ＳＩＤ信号の伝送タイミングに併せて、前記ＳＣＫ信号を、前記ＳＣＫ用信号線を介して伝送するようになっている。
【００９９】
そして、前記第２の制御部５７では、ＳＩＤ用信号線を介して伝送された前記ＳＩＤ信号を構成する信号線ＳＥＧ１〜ＳＥＧ８に対応する情報を前記各信号線ＳＥＧ１〜ＳＥＧ８に伝送する。また、第２の制御部５７は、実際に点灯させる発光体Ｌを含む信号線ＳＥＧ１〜ＳＥＧ８に対してのみに前記ＳＣＫ用信号線を介して伝送されたＳＣＫ信号を構成する情報を伝送する。その結果、図柄表示器Ｈでは、前記点灯を指示する情報と共に読込みを指示する情報が伝送された列（信号線ＳＥＧ１〜ＳＥＧ８）を構成する発光体Ｌの制御が行われるようになっている。
【０１００】
次に、ＤＬＴ信号は、ＦＬＭ信号とＦＣＫ信号、及び、ＳＩＤ信号とＳＣＫ信号により実際に点灯が指示された発光体Ｌを確定するための情報から構成された信号となっている。なお、この場合のＤＬＴ信号も、ラッチ信号に相当している。そして、前記ＣＰＵ４１は、ＤＬＴ信号を、前記ＤＬＴ用信号線を介して前記第１の制御部５６及び第２の制御部５７に対して伝送するようになっている。
【０１０１】
次に、ＥＮＢ信号は、第１の制御部５６が読込んだＦＬＭ信号及び第２の制御部５７が読込んだＳＩＤ信号を消去し、図柄表示器Ｈ’に表示された図柄を強制的に非表示させるための情報から構成された信号となっている。即ち、ＥＮＢ信号は、第１，第２の制御部５６，５７に残存しているＦＬＭ信号及びＳＩＤ信号によって図柄表示器Ｈの制御に影響を与える阻害要因を排除している。従って、ドットマトリクス式の図柄表示装置５５の場合には、発光体Ｌの点灯／非点灯が速やかに行われることになり、所謂、「ちらつき」を抑制することができる。そして、前記ＣＰＵ４１は、前記ＥＮＢ信号を、前記ＥＮＢ用信号線を介して前記第１，第２の制御部５６，５７に対し伝送するようになっている。
【０１０２】
このように、前記ＣＰＵ４１は、ＲＯＭ４３の制御情報がドットマトリクス式の図柄表示装置５５に適合する内容に書き換えられることにより、前記図柄表示装置５０の種類に適合した所定信号を演算処理している。その結果、遊技機１０の機種変更時に、機械式の図柄表示装置１８からドットマトリクス式の図柄表示装置５５に変更された場合でも図柄基板４０を交換することなく継続して使用することができる。
【０１０３】
従って、前記実施形態によれば、以下に示す効果を得ることができる。
（１）前記第１，第２の制御部４８，４９を図柄表示装置１８側に配設したことにより、図柄基板４０のＣＰＵ４１で演算処理された各種情報を所定信号として前記図柄表示装置１８に対してシリアル伝送することができる。即ち、前記図柄基板４０に配設された第１，第２の制御部４８，４９と図柄表示装置１８に配設された図柄表示器Ｈとを接続する場合（従来の技術）に比して、信号線４６の本数を削減することができる。例えば、機械式の図柄表示装置１８において３列の図柄を表示するために３つの図柄表示部２２〜２４が設けられている場合、１２本→６本に信号線４６の本数を削減することができる。従って、遊技機１０の組み付けや機種変更に伴う作業性の向上、及び、遊技機１０のコスト削減に貢献することができる。また、信号線４６の削減により遊技機１０の機裏側のスペースを有効に活用することができる。さらに、信号線４６の本数が削減されることにより、メンテナンス性の向上に貢献することもできる。
【０１０４】
（２）また、図柄表示器Ｈは、従来と同様に、第１の制御部４８及び第２の制御部４９によって制御されている。そのため、信号線４６の本数を削減しても従来と同様に高度な図柄制御を維持することができる。
【０１０５】
（３）図柄基板４０側には共通制御機器を配設する一方で、図柄表示装置１８側には専用制御機器を配設している。そのため、遊技機１０の機種変更時、図柄表示器Ｈが変更された場合でも、図柄基板４０を交換することなく、図柄表示装置１８の交換のみで対応することができる。従って、遊技機１０の機種変更時にゴミの現出を抑制し、資源を有効に利用することができる。また、近時において広く叫ばれているゴミ処理問題の解決に貢献することができる。
【０１０６】
（４）図柄基板４０には、図柄表示器Ｈの種類に関係なく継続使用可能な機器、若しくは、図柄制御のための制御情報を書き換えることにより再使用可能な機器を配設している。そのため、遊技機１０の機種変更時、前記図柄基板４０を非交換部位として扱うことができる。従って、資源を有効に利用することができる。また、機種変更時に交換を必要とする部位を削減でき、機種変更に伴う作業性の向上や遊技機１０のコスト削減に貢献することができる。
【０１０７】
（５）図柄表示装置１８側には、図柄表示器Ｈに対して専用使用される機器を配設している。そのため、遊技機１０の機種変更時、従来のように図柄基板４０と図柄表示装置１８の何れも交換して廃棄処分する必要がなくなる。即ち、図柄表示装置１８のみを交換して廃棄処分すればよい。従って、機種変更に伴う作業性の向上や遊技機１０のコスト削減に貢献することができる。また、図柄表示装置１８側に専用制御機器をまとめて配設しているため、機種変更時に共通制御機器と専用制御機器を分別する必要がなく、機種変更に伴う作業性の向上や遊技機１０のコスト削減に貢献することができる。
【０１０８】
（第２の実施形態）
以下、本発明の遊技機１０を具体化した第２の実施形態を図６及び図７に基づき説明する。なお、以下に説明する実施形態において、既に説明した実施形態と同一構成は同一符号を付し、その重複する説明は省略する。
【０１０９】
図６には、本実施形態における機械式の図柄表示装置１８が図示されている。そして、本実施形態の前記ＣＰＵ４１は、前記シリアルポート４５を通じて、前記図柄基板４０と図柄表示装置１８との間に配設されている複数本（本実施形態では３本）の伝送線としての信号線６０から前記所定信号を図柄表示装置１８に対してシリアル伝送するようになっている。
【０１１０】
また、前記第１の制御部４８と第２の制御部４９は、前記図柄表示器Ｈに対して各々による制御対象が異なるように直列に接続されている。
なお、「制御対象」とは、図柄表示器Ｈにおいて前記各制御部４８，４９によって制御される対象（主体）となるものである。そして、機械式の図柄表示装置１８の場合、前述のように、第１の制御部４８は第１，第２の図柄表示部２２，２３及び第１，第２の駆動部Ｍ１，Ｍ２を制御対象（第１の制御対象）としている。また、第２の制御部４９は第３の図柄表示部２４及び第３の駆動部Ｍ３を制御対象（第２の制御対象）としている。また、「直列に接続される」とは、前記第１，第２の制御部４８，４９との間において、信号の入出力が可能な状態で図柄表示器Ｈに対して接続されていることを言う。即ち、前記第１の制御部４８と第２の制御部４９とが信号線を介して接続されており、本実施形態においては、第１の制御部４８から第２の制御部４９に対して前記所定信号が伝送されるようになっている。
【０１１１】
次に、前記図柄基板４０と図柄表示装置１８とを接続するための前記信号線６０の種類、及び、前記信号線６０を介して伝送された所定信号に基づき図柄表示器Ｈが制御される態様を具体的に説明する。
【０１１２】
前記ＣＰＵ４１は、第１の制御部４８及び第２の制御部４９が、前記図柄表示器Ｈに対して図柄制御を行うための図柄制御信号（以下、「ＳＤ信号」という。）を伝送するようになっているが演算処理されている。そして、前記ＳＤ信号は、第１の制御部４８が第１の駆動部Ｍ１及び第２の駆動部Ｍ２に、第２の制御部４９が第３の駆動部Ｍ３に対して回転制御を各別に指示するための情報から構成された信号となっている。即ち、前記ＳＤ信号は、第１の駆動部Ｍ１（第１の図柄表示部４１）の回転制御を指示する情報、第２の駆動部Ｍ２（第２の図柄表示部４２）の回転制御を指示する情報、及び、第３の駆動部Ｍ３（第３の図柄表示部４３）の回転制御を指示する情報というように３個の情報から構成されており、これらの情報はＣＰＵ４１において演算処理されている。
【０１１３】
そして、前記ＣＰＵ４１は、第１の駆動部Ｍ１に対する情報→第２の駆動部Ｍ２に対する情報→第３の駆動部Ｍ３に対する情報という順番でＳＤ信号を同一の信号線を介して伝送するようになっている。即ち、前記ＣＰＵ４１は、前記ＳＤ信号を、前記図柄基板４０（シリアルポート４５）と図柄表示装置１８（保護機器４７）とを接続する図柄制御信号伝送線としてのＳＤ用信号線を介して伝送するようになっている。また、前記第１の制御部４８と第２の制御部４９は、前記ＳＤ用信号線を介して直列に接続されているため、前記ＣＰＵ４１が伝送した前記ＳＤ信号（第３の駆動部Ｍ３に対する情報）は、前記第１の制御部４８を通じて前記第２の制御部４９に伝送されるようになっている。
【０１１４】
そして、前記第１の制御部４８は、入力した前記ＳＤ信号を構成する各情報のうち、第１の駆動部Ｍ１に対する情報を信号線ＭＴ１−１〜ＭＴ１−４を通じて第１の駆動部Ｍ１に伝送して制御するようになっている。また、前記第１の制御部４８は、入力した前記ＳＤ信号を構成する各情報のうち、第２の駆動部Ｍ２に対する情報を信号線ＭＴ２−１〜ＭＴ２−４を通じて第２の駆動部Ｍ２に伝送して制御するようになっている。さらに、前記第２の制御部４９は、入力した前記ＳＤ信号を構成する各情報のうち、第３の駆動部Ｍ３に対する情報を信号線ＭＴ３−１〜ＭＴ３−４を通じて第３の駆動部Ｍ３に伝送して制御するようになっている。
【０１１５】
また、前記ＣＰＵ４１は、前記第１の制御部４８及び第２の制御部４９に対し、前記ＳＤ用信号線を通じて伝送された前記ＳＤ信号の読込を指示する読込信号（以下、「ＣＫ信号」という。）を伝送するようになっている。即ち、前記ＣＫ信号は、ＩＮＴ信号、若しくは、ストローブ信号に相当している。
【０１１６】
そして、前記ＣＰＵ４１は、前記ＳＤ信号の伝送タイミングに併せて、前記ＣＫ信号を第１の制御部４８及び第２の制御部４９に対し同一の信号線を介して伝送するようになっている。このとき、前記ＣＰＵ４１は、前記ＣＫ信号を、前記図柄基板４０（シリアルポート４５）と図柄表示装置１８（保護機器４７）とを接続する読込信号伝送線としてのＣＫ用信号線を介して伝送するようになっている。そして、前記第１の制御部４８及び第２の制御部４９は、前記ＣＫ信号の入力により第１の駆動部Ｍ１〜第３の駆動部Ｍ３に対する各情報を読込むようになっている。
【０１１７】
また、前記ＣＰＵ４１は、前記ＳＤ信号とＣＫ信号から得ることができる前記図柄表示器Ｈに対する図柄の表示態様を確定する確定信号（以下、「ＬＴ信号」という。）を伝送するようになっている。即ち、前記ＬＴ信号は、ＳＤ信号とＣＫ信号により指示された前記第１〜第３の図柄表示部２２〜２４に表示すべき図柄を確定するための情報から構成された信号となっている。なお、前記ＬＴ信号は、ラッチ信号に相当している。
【０１１８】
そして、前記ＣＰＵ４１は、前記ＬＴ信号を第１の制御部４８及び第２の制御部４９に対し同一の信号線を介して伝送するようになっている。即ち、前記ＣＰＵ４１は、前記ＬＴ信号を、前記図柄基板４０（シリアルポート４５）と図柄表示装置１８（保護機器４７）とを接続する確定信号伝送線としてのＬＴ用信号線を介して伝送するようになっている。なお、「図柄表示器Ｈに対する図柄の表示態様」とは、図柄表示器Ｈに表示される図柄の種類を示しており、機械式の図柄表示装置１８においては、前記第１〜第３の図柄表示部２２〜２４が回転制御されて停止した時に表示する図柄の種類が決定される。
【０１１９】
そして、前記図柄表示器Ｈは、前記ＣＰＵ４１から伝送される前記各信号に基づき制御されるようになっている。
即ち、前記ＣＰＵ４１は、最初に、前記第１の制御部４８及び第２の制御部４９に対して前記ＳＤ用信号線を介してＳＤ信号を伝送する。このとき、ＳＤ信号を構成する情報は、第１の駆動部Ｍ１に対する情報→第２の駆動部Ｍ２に対する情報→第３の駆動部Ｍ３に対する情報から順に伝送される。また、前記ＣＰＵ４１は、ＳＤ信号の伝送タイミングに併せて、前記第１の制御部４８及び第２の制御部４９に対してＣＫ用信号線を介してＣＫ信号を伝送する。その結果、前記第１の制御部４８及び第２の制御部４９では、ＣＫ信号が入力される毎に、前記ＳＤ信号を構成する第１の駆動部Ｍ１（第１の図柄表示部２２）、第２の駆動部Ｍ２（第２の図柄表示部２３）及び第３の駆動部Ｍ３（第３の図柄表示部２４）を制御するための各情報が読込まれる。
【０１２０】
次に、前記ＣＰＵ４１は、ＬＴ用信号線を介して第１の制御部４８及び第２の制御部４９に対してＬＴ信号を伝送する。その結果、ＳＤ信号とＣＫ信号により前記各図柄表示部２２〜２４が回転し停止する位置が特定され、図柄表示器Ｈに対する図柄の表示態様が確定される。また、前記各図柄表示部２２〜２４において図柄の表示態様が確定すると、前記図柄表示器Ｈでは前記各図柄表示部２２〜２４の回転制御により所定の図柄が表示されるようになっている。
【０１２１】
そして、本実施形態でも前記第１の実施形態と同様に、前記図柄基板４０側に前記図柄表示器Ｈの種類に関係なく共通使用可能なＣＰＵ４１、入力ポート４２、ＲＯＭ４３、ＲＡＭ４４及びシリアルポート４５などの共通制御機器が配設されている。一方で、前記図柄表示装置１８側には、図柄表示器Ｈに対して専用使用される第１の制御部４８及び第２の制御部４９などの専用制御機器が配設されている。
【０１２２】
また、前記ＣＰＵ４１は、前記各種所定信号（ＳＤ／ＣＫ／ＬＴ信号）を、前述のように、同一の信号線を介して伝送するようになっている。その結果、図柄基板４０と図柄表示装置１８とは、前記シリアルポート４５と保護機器４７との間において３本の信号線６０（ＳＤ用信号線、ＣＫ用信号線、ＬＴ用信号線）を介して接続することができる。即ち、前記第１，第２の制御部４８，４９が図柄基板４０側に配設されている場合（従来の技術）には、図柄表示器Ｈを構成する第１〜第３の駆動部Ｍ１〜Ｍ３の制御態様に応じた本数の信号線によって前記図柄基板４０と図柄表示装置１８は接続されることになる。例えば、図８に示すように、前記第１〜第３の駆動部Ｍ１〜Ｍ３に対して各４本の信号を必要とする場合には、前記図柄基板４０と図柄表示装置１８は１２本の信号線によって接続されることになる。
【０１２３】
これに対し、本実施形態のように、第１，第２の制御部４８，４９を図柄表示装置１８側に配設し、さらに、前記所定信号を同一の信号線を介して伝送した場合には、前述のように３本の信号線６０によって図柄基板４０と図柄表示装置１８を接続することができる。従って、信号線４６の本数を大幅に削減することができ、遊技機１０の組み付け性の向上やコスト削減に貢献することができる。
【０１２４】
次に、前述のように構成された遊技機１０において、その機種変更時に図柄表示装置１８（図柄表示器Ｈ）の種類が変更される場合について図６及び図７に基づき説明する。なお、以下の説明では、機械式の図柄表示装置１８からドットマトリクス式の図柄表示装置５５に変更される態様を説明する。また、図６及び図７において、同一の構成には同一の番号を付し、その重複する説明は省略する。
【０１２５】
最初に、本実施形態におけるドットマトリクス式の図柄表示装置５５について図７に基づき説明する。
本実施形態おいて、前記第１の制御部５６と第２の制御部５７は、前記図柄表示器Ｈ’に対して各々による制御対象が異なるように直列に接続されている。
【０１２６】
なお、「直列に接続される」とは、前記第１，第２の制御部５６，５７との間において、信号の入出力が可能な状態で図柄表示器Ｈに対して接続されていることを言う。即ち、前記第１の制御部５６と第２の制御部５７とが信号線を介して接続されており、本実施形態においては、第１の制御部５６から第２の制御部５７に対して前記所定信号が伝送されるようになっている。
【０１２７】
そして、このように構成されたドットマトリクス式の図柄表示装置５５は、前述した３本の信号線６０（ＳＤ用信号線、ＣＫ用信号線、ＬＴ用信号線）を介して前記図柄基板４０と接続されている。即ち、機械式の図柄表示装置１８を図柄基板４０に接続した時（図６）と同じ信号線６０を用いて接続することができる。また、前記図柄基板４０のＲＯＭ４３及びＲＡＭ４４は、記憶保持している機械式の図柄表示装置１８に適合する制御情報がドットマトリクス式の図柄表示装置５５に適合する制御情報に書き換えられる。これにより、種類の異なる図柄表示装置１８，５５であっても図柄基板４０を交換することなく図柄制御を行うことができる。
【０１２８】
なお、ドットマトリクス式の図柄表示装置５５に変更されると、前記ＣＰＵ４１から伝送される所定信号の内容が異なるため、それらの信号について以下に説明する。
【０１２９】
まず、ＳＤ信号は、第１の制御部５６及び第２の制御部５７が、各行、及び、各列に接続されている全ての発光体Ｌに点灯を指示するための情報から構成された信号となっている。即ち、前記ＳＤ信号は、前記第１の制御部５６が各信号線ＣＯＭ１〜ＣＯＭ８に対して各行別に点灯を指示する情報と、前記第２の制御部５７が各信号線ＳＥＧ１〜ＳＥＧ８に対して各列別に点灯を指示する情報から構成されており、これらの情報はＣＰＵ４１において演算処理されている。
【０１３０】
そして、ＳＤ信号を構成する情報を具体的に説明すると、図柄表示器Ｈでは、第１の制御部５６が１本の信号線ＣＯＭ１に接続された全ての発光体Ｌの制御を行う際に、第２の制御部５７は８本の信号線ＳＥＧ１〜ＳＥＧ８に接続された発光体Ｌの制御を行う態様となっている。即ち、前記図柄表示器Ｈでは、１行毎（信号線ＣＯＭ１〜ＣＯＭ８毎）に点灯する発光体Ｌの位置が特定されるようになっている。そのため、１本の信号線ＣＯＭ１に接続された発光体Ｌの点灯を指示する情報に対して、８本の信号線ＳＥＧ１〜ＳＥＧ８に接続された発光体Ｌの点灯を指示する情報が必要となっている。従って、ＳＤ信号は、第１の制御部５６が各信号線ＣＯＭ１〜ＣＯＭ８に対して各行別に点灯を指示する８個の情報と、第２の制御部５７が各信号線ＳＥＧ１〜ＳＥＧ８に対して各列別に点灯を指示する６４個（８行×８列）の情報から構成されている。
【０１３１】
そして、前記ＣＰＵ４１は、信号線ＣＯＭ１に対応する信号線ＳＥＧ１〜ＳＥＧ８に対する情報→信号線ＣＯＭ１に対する情報→信号線ＣＯＭ２に対応する信号線ＳＥＧ１〜ＳＥＧ８に対する情報→信号線ＣＯＭ２に対する情報→・・・という順番でＳＤ信号を同一の信号線を介して伝送するようになっている。即ち、前記ＣＰＵ３０は、ＳＤ信号を、前記ＳＤ用信号線を介して伝送するようになっている。
【０１３２】
そして、前記第１の制御部５６と第２の制御部５７は、ＳＤ用信号線を介して直列に接続されている。そのため、前記ＣＰＵ４１が伝送した第２の制御部５７が各信号線ＳＥＧ１〜ＳＥＧ８に対して各列別に点灯を指示する情報は、第１の制御部５６を通じて第２の制御部５７に伝送されるようになっている。
【０１３３】
次に、ＣＫ信号は、各行、及び、各列に接続されている全ての発光体Ｌのうち、実際に点灯を指示する行、及び、列に対応する情報を前記第１の制御部５６及び第２の制御部５７に読込ませるための情報から構成された信号となっている。即ち、この場合のＣＫ信号も、ＩＮＴ信号、若しくは、ストローブ信号に相当している。そして、前記ＣＰＵ４１は、前記ＳＤ信号の伝送タイミングに併せて、前記ＣＫ信号を第１の制御部５６及び第２の制御部５７に対して、前記ＣＫ用信号線を介して伝送するようになっている。
【０１３４】
そして、前記第１の制御部５６では、ＳＤ用信号線を介して伝送された前記ＳＤ信号を構成する信号線ＣＯＭ１〜ＣＯＭ８に対応する情報を前記各信号線ＣＯＭ１〜ＣＯＭ８に伝送する。また、第１の制御部５６は、実際に点灯させる発光体Ｌを含む信号線ＣＯＭ１〜ＣＯＭ８に対してのみに前記ＣＫ用信号線を介して伝送されたＣＫ信号を構成する情報を伝送する。その結果、図柄表示器Ｈ’では、前記点灯を指示する情報と共に読込みを指示する情報が伝送された行（信号線ＣＯＭ１〜ＣＯＭ８）を構成する発光体Ｌの制御が行われるようになっている。
【０１３５】
一方、前記第２の制御部５７では、ＳＤ用信号線を介して伝送された前記ＳＤ信号を構成する信号線ＳＥＧ１〜ＳＥＧ８に対応する情報を前記各信号線ＳＥＧ１〜ＳＥＧ８に伝送する。そして、第２の制御部５７は、実際に点灯させる発光体Ｌを含む信号線ＳＥＧ１〜ＳＥＧ８に対してのみに前記ＣＫ用信号線を介して伝送されたＣＫ信号を構成する情報を伝送する。その結果、図柄表示器Ｈ’では、前記点灯を指示する情報と共に読込みを指示する情報が伝送された列（信号線ＳＥＧ１〜ＳＥＧ８）を構成する発光体Ｌの制御が行われるようになっている。
【０１３６】
次に、ＬＴ信号は、ＳＤ信号とＣＫ信号により実際に点灯が指示された発光体Ｌを確定するための情報から構成された信号となっている。なお、この場合のＬＴ信号も、ラッチ信号に相当している。そして、前記ＣＰＵ４１は、ＬＴ信号を、第１の制御部５６及び第２の制御部５７に対して、前記ＬＴ用信号線を介して伝送するようになっている。
【０１３７】
このように、前記ＣＰＵ４１は、ＲＯＭ４３の制御情報がドットマトリクス式の図柄表示装置５５に適合する内容に書き換えられることにより、前記図柄表示装置５０の種類に適合した各種情報を演算処理している。その結果、遊技機１０の機種変更時に、機械式の図柄表示装置１８からドットマトリクス式の図柄表示装置５５に変更された場合でも図柄基板４０を交換することなく継続して使用することができる。
【０１３８】
従って、本実施形態によれば、前記第１の実施形態の効果（３）〜（５）に加えて以下に示す効果を得ることができる。
（６）前記第１，第２の制御部４８，４９を図柄表示装置１８側に配設したことにより、図柄基板４０のＣＰＵ４１で演算処理された各種情報を所定信号として前記図柄表示装置１８にシリアル伝送することができる。また、前記ＣＰＵ４１で演算処理された各種情報を所定信号として同一の信号線を介して第１，第２の制御部４８，４９に伝送している。即ち、前記図柄基板４０に配設された第１，第２の制御部４８，４９と図柄表示装置１８に配設された図柄表示器Ｈとを接続する場合（従来の技術）に比して、信号線６０の本数を大幅に削減することができる。例えば、機械式の図柄表示装置１８において３列の図柄を表示するために３つの図柄表示部２２〜２４が設けられている場合、１２本→３本に信号線６０の本数を削減することができる。従って、遊技機１０の組み付けや機種変更に伴う作業性の向上、及び、遊技機１０のコスト削減に貢献することができる。また、信号線６０の本数が大幅に削減したことにより遊技機１０の機裏側のスペースをより有効に活用することができる。さらに、信号線６０の本数が大幅に削減されることにより、メンテナンス性の向上に貢献することもできる。
【０１３９】
なお、前記各実施形態は以下のように変更してもよい。
・前記各実施形態では、３列の図柄を表示するために図柄表示器Ｈを第１，第２の制御部４８，４９と、第１〜第３の図柄表示部２２〜２４と、第１〜第３の駆動部Ｍ１〜Ｍ３から構成しているが、２列の図柄を表示するために図柄表示器Ｈであっても前記実施形態と同様に適用することができる。この場合、前記図柄表示装置１８には、第１，第２の図柄表示部２２，２３（第１，第２の駆動部Ｍ１，Ｍ２）を制御対象（複数の制御対象）とする単数の第１の制御部４８を配設する。そして、前記図柄基板４０（ＣＰＵ４１）と図柄表示装置１８（保護機器４７）とは、３本の信号線を介して接続する。また、前記信号線は、前記ＦＬＭ信号を伝送するためのＦＬＭ用信号線（図柄制御信号伝送線）と、ＦＣＫ信号を伝送するためのＦＣＫ用信号線（読込信号伝送線）と、ＬＴ信号を伝送するためのＤＬＴ用信号線（確定信号伝送線）から構成する。さらに、ＥＮＢ用信号線（無効化信号伝送線）を加えて４本の信号線を介して図柄基板４０と図柄表示装置１８を接続しても良い。
【０１４０】
・前記各実施形態では、前記図柄基板４０に共通制御機器としてＣＰＵ４１、入力ポート４２、ＲＯＭ４３、ＲＡＭ４４及びシリアルポート４５を、図柄表示装置１８に専用制御機器として第１，第２の制御部４８，４９を配設しているが、配設する機器は前記実施形態に限定されない。即ち、その他の機器を共通制御機器と専用制御機器に区分けして前記図柄基板４０側と図柄表示装置１８側に配設しても良い。
【０１４１】
・前記各実施形態において、図柄基板４０に配設している前記ＲＯＭ４３は、遊技機１０の機種変更時、図柄基板４０に配設された状態で制御情報を書き換えても良いし、一旦取り外して制御情報を書き換えた後、再度図柄基板４０に配設しても良い。即ち、ＲＯＭ４３としてのハードウェア（物理的装置）自体を交換している訳ではなく、記憶保持している制御情報の内容を変更しているに過ぎない。
【０１４２】
・前記各実施形態においては、遊技機１０の機種変更時に図柄表示装置１８を廃棄処分しているが、その図柄表示装置１８を別の遊技機１０の機種変更時に再使用しても良い。即ち、前記実施形態においては、機種変更時に図柄表示器Ｈが変更された場合、当該表示器Ｈに応じて交換不要な機器を共通制御機器とし、交換必要な機器を専用制御機器としている。つまり、交換必要な機器とは、変更後の図柄表示器Ｈに対して使用することができない機器であり、必ずしも廃棄処分を必要とする機器を意味するものではない。このように図柄表示装置１８（専用制御機器）を再使用することで、ゴミの現出をさらに抑制することができる。
【０１４３】
・前記各実施形態では、機械式の図柄表示装置１８をドットマトリクス式の図柄表示装置５５に変更する場合を記載したが、ドットマトリクス式、７セグメント式、機械式の図柄表示装置１８においてどのような変更形態であっても前記実施形態と同様に適用することができる。
【０１４４】
・前記各実施形態は、前記第１〜第３の図柄表示部２２〜２４がドラム式で構成された機械式の図柄表示装置１８として具体化したが、第１〜第３の図柄表示部２２〜２４がベルト式で構成された機械式の図柄表示装置１８の場合でも前記各実施形態と同様に具体化することができる。
【０１４５】
・前記第１の実施形態において、ＥＮＢ用信号線を省略しても良い。このように構成すれば、前記信号線４６の本数をさらに削減（６本→５本）することができる。また、第２の実施形態において、ＥＮＢ用信号線を新たに設け、前記ＥＮＢ信号を前記第１，第２の制御部４８，４９に伝送しても良い。このように構成すると、前記信号線６０の本数は増加（３本→４本）することになるが、従来と比較した場合には大幅に信号線の本数を削減することができる。
【０１４６】
次に上記実施形態及び別例から把握できる技術的思想について、以下に追記する。
（イ）前記図柄制御基板は、遊技機における遊技状態を制御する主制御基板から受けた制御情報を前記図柄制御のための各種情報に演算処理し、当該情報を所定信号として伝送する。
【０１４７】
（ロ）前記専用制御機器は、前記図柄表示装置における表示機器の種類が変更された場合、変更後の図柄表示装置の制御を実行するにあたって交換が必要とされる交換必要機器である。
【０１４８】
（ハ）前記共通制御機器は、前記図柄制御のための各種情報を演算し所定信号として伝送処理する処理部及び前記各種情報を演算処理するための制御情報を記憶保持する記憶部を有する一方、前記専用制御機器は、機械式の表示機器における図柄表示部の回転を制御する制御部である。
【０１４９】
（ニ）前記伝送線として、前記図柄の表示態様に対応する前記第１，第２の図柄制御信号を無効化する無効化信号を伝送する無効化信号伝送線をさらに備えている。
【０１５０】
（ホ）前記伝送線として、前記図柄の表示態様に対応する前記図柄制御信号を無効化する無効化信号を伝送する無効化信号伝送線をさらに備えている。
【０１５１】
（ヘ）前記一種類の専用制御機器を配設した図柄表示装置は、当該図柄表示装置を前記図柄制御基板に接続する際に使用する前記伝送線と同一の伝送線を使用して複数種類の専用制御機器を配設した図柄表示装置と交換可能となっている。このように構成すれば、機械式の図柄表示装置１８からドットマトリクス式の図柄表示装置５５に変更された場合でも、同一の図柄基板４０に対して信号線４６又は信号線６０に変更（例えば、本数の増減、種類の変更など）を加えることなく接続することができる。従って、組み付け性やコスト削減に貢献することができる。
【０１５２】
【発明の効果】
本発明によれば、図柄制御基板と図柄表示装置とを接続するための伝送線の本数を削減することにより組み付け性の向上やコスト削減に貢献することができる。
【図面の簡単な説明】
【図１】  パチンコ遊技機の外観を示す正面図。
【図２】  図柄表示器を示す正面図。
【図３】  図柄表示器の具体的な構成を示す分解斜視図。
【図４】  第１の実施形態における機械式の図柄表示装置における主制御基板、図柄制御基板及び図柄表示装置の電気的構成を示すブロック図。
【図５】  同じく、ドットマトリクス式の図柄表示装置における主制御基板、図柄制御基板及び図柄表示装置の電気的構成を示すブロック図。
【図６】  第２の実施形態における機械式の図柄表示装置における主制御基板、図柄制御基板及び図柄表示装置の電気的構成を示すブロック図。
【図７】  同じく、ドットマトリクス式の図柄表示装置における主制御基板、図柄制御基板及び図柄表示装置の電気的構成を示すブロック図。
【図８】  従来における主制御基板、図柄制御基板及び図柄表示装置の電気的構成を示すブロック図。
【符号の説明】
Ｈ…図柄表示器（表示機器）、Ｍ１〜Ｍ３…第１〜第３の駆動部（制御対象）、１０…パチンコ遊技機、１８…図柄表示装置（図柄表示手段）、２２〜２４…第１〜第３の図柄表示部（制御対象）、４０…図柄制御基板（図柄制御手段）、４１…ＣＰＵ（共通制御機器、交換不要機器、処理部）、４２…入力ポート（共通制御機器、交換不要機器）、４３…ＲＯＭ（共通制御機器、再使用機器、記憶部）、４４…ＲＡＭ（共通制御機器、再使用機器、記憶部）、４５…シリアルポート（共通制御機器、交換不要機器、処理部）、４８…第１の制御部（専用制御機器、交換必要機器、制御部）、４６…信号線（伝送線，ＦＬＭ用／ＦＣＫ用／ＳＩＤ用／ＳＣＫ用／ＤＬＴ用／ＥＮＢ用信号線を備える。）、４９…第２の制御部（専用制御機器、交換必要機器、制御部）、６０…信号線（伝送線、ＳＤ用信号線／ＣＫ用信号線／ＬＴ用信号線を備える。）。
【図１】
0004097916.tif 000002
【図２】
0004097916.tif 000003
【図３】
0004097916.tif 000004
【図４】
0004097916.tif 000005
【図５】
0004097916.tif 000006
【図６】
0004097916.tif 000007
【図７】
0004097916.tif 000008
【図８】
0004097916.tif 000009